(57)【要約】  動刃と静刃の二枚の刃が、ねじで連結されて一体をなす刃物であり、前記ねじを支点として開閉する構造を有する鋏であって、動刃及び静刃が、刃身と、刃身と一体化され、ねじの孔が形成された触面と、指環が形成された柄部を有する掌体から形成され、柄部の少なくとも一部分に中空部を形成するとともに、中空部に、粘弾性体を封入するものである。この鋏によれば、理美容師等が散髪を行う際の身体的負担を軽減し、腱鞘炎や肩こりなどの職業病をわずらうことを予防することができる。【特許請求の範囲】
【請求項１】
動刃と静刃の二枚の刃が、ねじで連結されて一体をなす刃物であり、前記ねじを支点として開閉する構造を有する鋏であって、
前記動刃及び前記静刃が、刃身と、前記刃身と一体化され、前記ねじの孔が形成された触面と、指環が形成された柄部を有する掌体から形成され、
前記柄部の少なくとも一部分に中空部を形成するとともに、前記中空部に、粘弾性体を封入する鋏。
【請求項２】
理美容に用いる請求項１に記載の鋏。
【請求項３】
動刃と静刃の二枚の刃が、ねじで連結されて一体をなす刃物であり、前記ねじを支点として開閉する構造を有する鋏であって、
前記動刃及び前記静刃が、刃身と、前記刃身と一体化され、前記ねじの孔が形成された触面と、指環が形成された柄部を有する掌体から形成され、
前記掌体全体又は一部を、粘弾性体で被覆する鋏。
【請求項４】
前記粘弾性体が、前記指環の内側を被覆する請求項３に記載の鋏。
【請求項５】
前記粘弾性体の表面を、容易に塑性変形を起こさない材質で被覆する請求項３又は４に記載の鋏。
【請求項６】
理美容に用いる請求項３〜５のいずれか１項に記載の鋏。
【請求項７】
動刃と静刃の二枚の刃が、ねじで連結されて一体をなす刃物であり、前記ねじを支点として開閉する構造を有する鋏であって、
前記動刃及び前記静刃が、刃身と、前記刃身と一体化され、前記ねじの孔が形成された触面と、指環が形成された柄部を有する掌体から形成され、
前記柄部が、前記触面から少なくとも２つ以上の柄部材に分岐し、前記柄部材が前記指環にそれぞれ連結され、且つ前記柄部材同士の隙間に粘弾性体をはめ込む鋏。
【請求項８】
前記柄部材の断面積が、各々異なっている請求項７に記載の鋏。
【請求項９】
理美容に用いる請求項７又は８に記載の鋏。
【請求項１０】
動刃と静刃の二枚の刃が、ねじで連結されて一体をなす刃物であり、前記ねじを支点として開閉する構造を有する鋏であって、
前記動刃及び前記静刃が、刃身と、前記刃身と一体化され、前記ねじの孔が形成された触面と、指環が形成された柄部を有する掌体から形成され、
前記指環同士が接触し、且つ前記動刃と前記静刃がちょうど対向する位置で止まるように形成された上点が、前記動刃側又は静刃側の少なくとも一方の指環の外周凹部に埋め込まれた緩衝体の上に保持されている鋏。
【請求項１１】
前記緩衝体が、バネ状物又は粘弾性体である請求項１０に記載の鋏。
【請求項１２】
前記外周凹部が、粘弾性体で被覆されている請求項１０又は１１に記載の鋏。
【請求項１３】
理美容に用いる請求項１０〜１２のいずれか１項に記載の鋏。
【請求項１４】
動刃と静刃の二枚の刃が、ねじで連結されて一体をなす刃物であり、前記ねじを支点として開閉する構造を有する鋏であって、
前記動刃及び前記静刃が、刃身と、前記刃身と一体化され、前記ねじの孔が形成された触面と、指環が形成された柄部を有する掌体から形成され、
前記指環同士が接触し、且つ前記動刃と前記静刃がちょうど対向する位置で止まるように、前記動刃側の指環と前記静刃側の指環との接触部の両方又はいずれか一方に粘弾性体を取り付けた鋏。
【請求項１５】
理美容に用いる請求項１４に記載の鋏。
【発明の詳細な説明】
【技術分野】
【０００１】
本発明は、主に理美容用の鋏に関する。
【背景技術】
【０００２】
日本の人口動態は、少子高齢化に進んでおり、近未来、４人に１人が老人という社会になりつつある。平成１６年現在、日本にいる理美容師も例外でなく、理美容師は高齢化に向かっており、長年に渡って散髪をしてきた結果、多くの理美容師が、例えば、図１２に示す鋏の開閉による振動が主因と思われる腱鞘炎をわずらい、離職してしまうことも深刻な問題となってきている。【０００３】
これは、一度、腱鞘炎をわずらうと、鋏で髪を切る時、わずかな開閉時の振動でも手に激痛が走るからである。また、腱鞘炎をわずらわなくとも、散髪中、理美容師は不自然な姿勢を強いられるため、鋏の重量が手首にかかることによって、肩や手首に大きな負担がかかり、肩こりや手首の慢性疲労及び関節炎を引き起こす原因となっていた。【０００４】
本発明は、上述した従来技術の問題点に鑑みてなされたものであり、その目的とするところは、理美容師等が散髪を行う際の身体的負担を軽減し、腱鞘炎や肩こりなどの職業病をわずらうことを予防することができる鋏を提供することにある。
【発明の開示】
【０００５】
上述の目的を達成するため、本発明は、以下の鋏を提供するものである。
【０００６】
［１］  動刃と静刃の二枚の刃が、ねじで連結されて一体をなす刃物であり、前記ねじを支点として開閉する構造を有する鋏であって、前記動刃及び前記静刃が、刃身と、前記刃身と一体化され、前記ねじの孔が形成された触面と、指環が形成された柄部を有する掌体から形成され、前記柄部の少なくとも一部分に中空部を形成するとともに、前記中空部に、粘弾性体を封入する鋏。
【０００７】
［２］  理美容に用いる［１］に記載の鋏。
【０００８】
［３］  動刃と静刃の二枚の刃が、ねじで連結されて一体をなす刃物であり、前記ねじを支点として開閉する構造を有する鋏であって、前記動刃及び前記静刃が、刃身と、前記刃身と一体化され、前記ねじの孔が形成された触面と、指環が形成された柄部を有する掌体から形成され、前記掌体全体又は一部を、粘弾性体で被覆する鋏。
【０００９】
［４］  粘弾性体が、指環の内側を被覆する［３］に記載の鋏。
【００１０】
［５］  粘弾性体の表面を、容易に塑性変形を起こさない材質で被覆する［３］又は［４］に記載の鋏。
【００１１】
［６］  理美容に用いる［３］〜［５］のいずれかに記載の鋏。
【００１２】
［７］  動刃と静刃の二枚の刃が、ねじで連結されて一体をなす刃物であり、前記ねじを支点として開閉する構造を有する鋏であって、前記動刃及び前記静刃が、刃身と、前記刃身と一体化され、前記ねじの孔が形成された触面と、指環が形成された柄部を有する掌体から形成され、前記柄部が、前記触面から少なくとも２つ以上の柄部材に分岐し、前記柄部材が前記指環にそれぞれ連結され、且つ前記柄部材同士の隙間に粘弾性体をはめ込む鋏。
【００１３】
［８］  柄部材の断面積が、各々異なっている［７］に記載の鋏。
【００１４】
［９］  理美容に用いる［７］又は［８］に記載の鋏。
【００１５】
［１０］  動刃と静刃の二枚の刃が、ねじで連結されて一体をなす刃物であり、前記ねじを支点として開閉する構造を有する鋏であって、前記動刃及び前記静刃が、刃身と、前記刃身と一体化され、前記ねじの孔が形成された触面と、指環が形成された柄部を有する掌体から形成され、前記指環同士が接触し、且つ前記動刃と前記静刃がちょうど対向する位置で止まるように形成された上点が、前記動刃側又は静刃側の少なくとも一方の指環の外周凹部に埋め込まれた緩衝体の上に保持されている鋏。
【００１６】
［１１］  緩衝体が、バネ状物又は粘弾性体である［１０］に記載の鋏。
【００１７】
［１２］  外周凹部が、粘弾性体で被覆されている［１０］又は［１１］に記載の鋏。
【００１８】
［１３］  理美容に用いる［１０］〜［１２］のいずれかに記載の鋏。
【００１９】
［１４］  動刃と静刃の二枚の刃が、ねじで連結されて一体をなす刃物であり、前記ねじを支点として開閉する構造を有する鋏であって、前記動刃及び前記静刃が、刃身と、前記刃身と一体化され、前記ねじの孔が形成された触面と、指環が形成された柄部を有する掌体から形成され、前記指環同士が接触し、且つ前記動刃と前記静刃がちょうど対向する位置で止まるように、前記動刃側の指環と前記静刃側の指環との接触部の両方又はいずれか一方に粘弾性体を取り付けた鋏。
【００２０】
［１５］  理美容に用いる［１４］に記載の鋏。
【図面の簡単な説明】
【００２１】
【図１（ａ）】本発明の鋏の一例を示す正面図である。
【図１（ｂ）】図１（ａ）のＡ−Ａ断面図である。
【図１（ｃ）】図１（ａ）のＢ−Ｂ断面図である。
【図２】本発明の鋏の他の例（１）を示す要部正面図である。
【図３】本発明の鋏の他の例（２）を示す要部正面図である。
【図４】図３のＡ−Ａ断面図である。
【図５（ａ）】本発明の鋏の更に他の例（１）を示す正面図である。
【図５（ｂ）】図５（ａ）のＡ−Ａ断面図（１）である。
【図５（ｃ）】図５（ａ）のＡ−Ａ断面図（２）である。
【図６】本発明の鋏の更に他の例（２）を示す正面図である。
【図７】本発明の鋏の別の例（１）を示す要部正面透視図である。
【図８】本発明の鋏の別の例（２）を示す要部正面透視図である。
【図９】本発明の鋏の別の例（３）を示す要部断面図である。
【図１０】本発明の鋏の更に別の例（１）を示す要部正面図である。
【図１１】本発明の鋏の更に別の例（２）を示す要部正面図である。
【図１２】鋏の典型例を示す正面図である。
【符号の説明】
【００２２】
１：動刃、２：静刃、３：ネジ、５：触面、６：指環（拇指環）、７：柄部（拇指柄）、８：指環（環指環）、９：柄部（環指柄）、１０：中空部、１２：上点、１４：刃身、１６：掌体、２２，２３，２５〜２７：柄部材、３０：外周凹部、４０：緩衝体、４２：バネ状物、６０：粘弾性体。
【発明を実施するための最良の形態】
【００２３】
以下、図面を参照して、本発明の鋏について詳細に説明するが、本発明は、これに限定されて解釈されるものではなく、本発明の範囲を逸脱しない限りにおいて、当業者の知識に基づいて、種々の変更、修正、改良を加え得るものである。【００２４】
図１（ａ）〜（ｃ）は、本発明の鋏の一例を示すものであり、図１２は、鋏の典型例を示す正面図である。尚、典型的な鋏は、例えば、図１２に示すように、動刃１と静刃２の二枚の刃が、ねじ３で連結されて一体をなす刃物であり、ねじ３を支点として開閉する構造を有するものである。【００２５】
本発明に係る鋏は、例えば、図１（ａ）〜（ｃ）に示すように、動刃１及び静刃２が、刃身１４と、刃身１４と一体化され、ねじの孔が形成された触面５と、指環６，８が形成された柄部７，９を有する掌体１６から形成され、柄部７，９の少なくとも一部分に中空部１０を形成するとともに、中空部１０に粘弾性体６０を封入するものである。【００２６】
また、本発明に係る鋏は、例えば、図２に示すように、刃身（図示せず）と一体化され、ねじの孔が形成された触面５と、指環６，８が形成された柄部７，９を有する掌体１６全体を粘弾性体６０で被覆するものである。尚、粘弾性体６０は、鋏の開閉時に伴う掌体１６の振動を低減できる掌体の一部にだけ被覆しても構わない。【００２７】
更に、本発明に係る鋏は、例えば、図３に示すように、粘弾性体６０が、指環６，８の内側を被覆するものであってもよい（図４参照）。これにより、図３に示す鋏は、動刃の指環（拇指環）６と静刃の指環（環指環）８との接触部で発生する衝撃を粘弾性体６０で緩和させるとともに、実使用中における指への違和感を軽減することができる。【００２８】
このとき、図２及び図３に示す鋏は、更に粘弾性体６０の表面を、容易に塑性変形を起こさない材質で被覆することが好ましい。これにより、図２及び図３に示す鋏は、グリップ感が良くなり、操作性や作業性を向上させることができる。【００２９】
尚、容易に塑性変形を起こさない材質は、特に限定されないが、例えば、ポリアセタール、ポリアミド系樹脂、ポリカーボネートやＡＢＳ等のエンジニアリングプラスチック、超高分子量ポリエチレンやその他の超高分子量プラスチック等のポリオレフィン樹脂又はフッ素樹脂、更には、形状記憶ポリマーや形状記憶合金等の金属、摩耗の少ない固めのゴムやシリコンゴムであることが好ましい。【００３０】
以上のことから、図１〜３に示す鋏は、衝撃緩衝力や振動吸収力に優れた粘弾性体で、鋏の開閉時に伴う掌体の振動を低減することができるため、手首への負担（特に、親指や薬指への負担）を大幅に軽減することができる。特に、図１に示す鋏は、柄部７，９に中空部１０を形成することにより、鋏（特に柄部）の軽量化にも寄与することができる。【００３１】
次に、本発明に係る鋏は、例えば、図５（ａ）に示すように、動刃１及び静刃２が、刃身１４と、刃身１４と一体化され、ねじの孔が形成された触面５と、指環６，８が形成された柄部７，９を有する掌体１６から形成され、柄部７，９が、触面５から２つの柄部材２２，２３に分岐し、柄部材２２，２３が指環６，８にそれぞれ連結され、且つ柄部材２２，２３同士の隙間に粘弾性体６０をはめ込むものである。【００３２】
このとき、柄部材２２，２３同士の隙間に粘弾性体６０をはめ込む方法は、特に限定されないが、例えば、図５（ｂ）に示すように、柄部材２２，２３同士の隙間が孔部であって、その孔部に粘弾性体６０を挟み込みながらはめ込んでもよく、また、図５（ｃ）に示すように、柄部材２２，２３同士の隙間が凹部であって、その凹部に粘弾性体６０を詰め込みながらはめ込んでもよい。【００３３】
また、本発明に係る鋏は、例えば、図６に示すように、柄部７，９は、触面５から３つの柄部材２５〜２７に分岐し、柄部材２５〜２７が指環６，８にそれぞれ連結され、且つ柄部材２５〜２７同士の隙間に粘弾性体６０をはめ込むものであってもよい。尚、柄部材２５〜２７同士の隙間に粘弾性体６０をはめ込む方法は、図５（ａ）の鋏の場合と同様である。【００３４】
これにより、図５（ａ）及び図６に示す鋏は、柄部が触面から少なくとも２つ以上の柄部材に分岐し、柄部材が指環にそれぞれ連結することにより、鋏の開閉時に伴う掌体の振動を、振動が共振しないように、それぞれの柄部材の断面積を調整することにより、振動が共振しないように、それぞれの柄部材の周波数で振動をうち消す効果が期待できる。【００３５】
以上のことから、図５（ａ）及び図６に示す鋏は、柄部材同士の隙間に粘弾性体をはめ込む（詰め込む）ことにより、衝撃緩衝力や振動吸収力に優れた粘弾性体で、鋏の開閉時に伴う掌体の振動を低減することができるため、手首への負担（特に、親指や薬指への負担）を大幅に軽減することができる。【００３６】
また、図５（ａ）及び図６に示す理美容用鋏は、柄部材同士の隙間に粘弾性体をはめ込むために、柄部材同士の隙間が十分確保されているため、鋏（特に柄部）の軽量化にも寄与することができる。【００３７】
尚、図５（ａ）及び図６に示す理美容用鋏は、動刃と静刃の柄部の両方に、柄部材同士の隙間が形成され、粘弾性体がはめ込まれているが、動刃と静刃の柄部のどちらか一方だけに粘弾性体がはめ込まれたものであってもよい。【００３８】
更に、本発明に係る鋏は、例えば、図７又は図８に示すように、動刃１及び静刃２が、刃身１４と、刃身１４と一体化され、ねじの孔が形成された触面５と、指環６，８が形成された柄部７，９を有する掌体１６から形成され、指環６，８同士が接触し、且つ動刃１と静刃２がちょうど対向する位置で止まるように形成された上点１０が、動刃１側の指環６の外周凹部に埋め込まれた緩衝体４０の上に保持されていてもよい（図１２参照）。【００３９】
尚、上記上点１０は、動刃１側又は静刃２側の少なくとも一方の指環の外周凹部に埋め込まれた緩衝体４０の上に保持されていればよい。【００４０】
また、本発明に係る鋏は、図９に示すように、外周凹部３０が、粘弾性体６０で被覆されていてもよい。【００４１】
尚、本発明で用いる緩衝体４０は、特に限定されないが、図７に示すようなバネ状物４２又は図８に示すような粘弾性体６０を好適に用いることができる。尚、バネ状物の種類は、特に限定されず、スプリング状でも板状であってもよい。また、上点の材質は、特に限定されないが、例えば、摩耗の少ない固いゴムやシリコンゴムを好適に用いることができる。【００４２】
そして、更に、本発明に係る鋏は、図１０に示すように、動刃１び静刃２が、刃身１４と、刃身１４と一体化され、ねじの孔が形成された触面５と、指環６，８が形成された柄部７，９を有する掌体１６から形成され、指環６，８同士が接触し、且つ動刃１と静刃２がちょうど対向する位置で止まるように、動刃側の指環（拇指環）６と静刃側の指環（環指環）８との接触部の両方に粘弾性体６０を取り付けたものである（図１２参照）。ここで、動刃側の指環（拇指環）６と、静刃側の指環（環指環）８に取り付けられた粘弾性体６０は、使用者のニーズや衝撃緩衝力及び振動吸収力を向上させるために、片方ずつ性質の異なる粘弾性体を適宜使用してもよい。また、本発明に係る鋏は、図１１に示すように、動刃側の指環（拇指環）６と静刃側の指環（環指環）８との接触部のいずれか一方（ここでは、動刃側の指環（拇指環）６）に粘弾性体６０を取り付けたものであってもよい。【００４３】
このとき、動刃側の指環（拇指環）６と静刃側の指環（環指環）８との接触部の両方又はいずれか一方への粘弾性体６０の取り付け方法は、特に限定されないが、例えば、動刃側の指環（拇指環）６及び静刃側の指環（環指環）８の粘弾性体６０の取り付け部に予め凹部を設け、その凹部に粘弾性体６０をはめ込むように取り付けることにより、実使用時における粘弾性体６０の脱落や不必要な摩耗を抑制することができる（図１０及び図１１参照）。【００４４】
以上のことから、図７〜１１に示す鋏は、動刃の指環（拇指環）６と静刃の指環（環指環）８との接触部で発生する衝撃を緩和させるとともに、実使用中における指への違和感を軽減することができる。【００４５】
ここで、本発明の鋏で用いる粘弾性体は、少なくとも１種以上及び／又は１層以上の粘弾性体から形成されていることが好ましい。これは、粘弾性体を使用するすべての箇所において、性質の異なった粘弾性体を組み合わせた多重構造とすることにより、衝撃吸収力をより向上させる効果が得られるからである。例えば、上層の粘弾性体に広がる衝撃を、更に下層の粘弾性体で吸収するという構造を有する粘弾性体は、運動靴のソール部分にも広く応用されている技法であり、本発明で用いる粘弾性体として、好適に用いることができる。【００４６】
ここで、本発明の鋏で用いる粘弾性体は、弾性と粘性とを有するものであり、短い観測時間に対しては弾性的固体のように、長い観測時間に対しては粘性流体のようにふるまうものである。このため、本発明に粘弾性体を用いた場合、防振・緩衝に必要なたわみ量を十分に確保することができるとともに、一部分（本発明では、手首への負担）に衝撃エネルギー等の負荷が集中することを防ぐことができる。また、粘弾性体は、通常、衝撃エネルギー吸収や、防振、制振、消音、防音、圧力分散に優れた特性を有する。【００４７】
また、本発明の鋏で用いる粘弾性体は、特に限定されないが、例えば、エポキシ樹脂、軟質ウレタン、シリコンゴム、更に詳細には、ポリウレタン樹脂を主成分とし、マシュマロのような特異な柔らかさを持ったゲル状物質（商品名：ＥＸＰＥＲ−Ｕ[イイダ産業(株)製]）、シリコンを主原料とする非常に柔らかいゲル状素材（商品名：アルファゲル［株式会社ジェルテック製］）、分子構造の設計段階で特別の工夫が施されたポリオールとＭＤＩからなるエーテル系ポリウレタン（商品名：ソルボ[三進興産株式会社製]）を好適に用いることができる。
【産業上の利用可能性】
【００４８】
本発明の鋏は、理美容師の散髪時において好適に用いることができる。
【図１（ａ）】
2006022368.tif 000002
【図１（ｂ）】
2006022368.tif 000003
【図１（ｃ）】
2006022368.tif 000004
【図２】
2006022368.tif 000005
【図３】
2006022368.tif 000006
【図４】
2006022368.tif 000007
【図５（ａ）】
2006022368.tif 000008
【図５（ｂ）】
2006022368.tif 000009
【図５（ｃ）】
2006022368.tif 000010
【図６】
2006022368.tif 000011
【図７】
2006022368.tif 000012
【図８】
2006022368.tif 000013
【図９】
2006022368.tif 000014
【図１０】
2006022368.tif 000015
【図１１】
2006022368.tif 000016
【図１２】
2006022368.tif 000017
【国際調査報告】
2006022368.tif 000018
2006022368.tif 000019
2006022368.tif 000020
2006022368.tif 000021